(57)【要約】      （修正有）【課題】着色した本体に特殊なカバーを施すことにより、光の反射を利用して、華美に至らず落ち着いた高級感のあるミルキー色の葬祭用品を提供する。【解決手段】収納空間１２と開口部１４とを有するカプセル本体１６と、カプセル本体１６の開口部１４を開閉するように着脱自在に取り付けられたキャップ１８と、カプセル本体１６の外周に被嵌されたプラスチックカバーとを備えている。カプセル本体１６は外表面が任意の色で着色されている。プラスチックカバーは、透明または半透明のプラスチックにより形成され、かつ外周面が磨りガラス状の白濁した状態とされている。【選択図】図２
0003181100.tif 000002
【実用新案登録請求の範囲】
【請求項１】
外表面が任意の色に着色された本体と、
前記本体の着色された外表面を覆うように被されたプラスチックカバーとからなり、
前記プラスチックカバーは、透明または半透明のプラスチックにより形成され、かつ外周面が磨りガラス状に白濁した状態とされていることを特徴とする葬祭用品。
【請求項２】
請求項１に記載の葬祭用品において、
前記着色された本体の外周面に、弾性透明樹脂をコーティングしたことを特徴とする葬祭用品。
【請求項３】
請求項１又は２に記載の葬祭用品において、
前記プラスチックカバーの内面は前記本体の着色された外表面に密着していることを特徴とする葬祭用品。
【請求項４】
請求項１乃至３のいずれかに記載の葬祭用品において、
前記本体は、収納空間とこの収納空間を外部に開口する開口部とを有するカプセル本体であって、前記カプセル本体の前記開口部を開閉するように着脱自在に取り付けられたキャップを備えたことを特徴とする葬祭用品。
【請求項５】
請求項４に記載の葬祭用品において、
前記キャップに、吊り下げ具を取り付けるための取付孔を設けたことを特徴とする葬祭用品。
【請求項６】
請求項４または５に記載の葬祭用品において、
前記カプセル本体は、金属製の円筒体であって、上端開口面に前記キャップが被せられて閉塞され、かつ下端開口面に底板が被せられて閉塞された構成とされ、
前記円筒体の上端部の内周面または外周面と、前記キャップの外周面または内周面に、互いに螺合されるねじ山またはねじ溝が形成され、
前記円筒体と前記プラスチックカバーと前記底板とは一体に固定されていることを特徴とする葬祭用品。
【請求項７】
請求項４乃至６のいずれかに記載の葬祭用品において、
前記プラスチックカバーは、外周面が紡錘形とされ、内周面が前記カプセル本体の外表面の着色面に密着する円筒形とされていることを特徴とする葬祭用品。 
【考案の詳細な説明】
【技術分野】
【０００１】
本考案は、仏事等に使用される装飾品や容器等の葬祭用品に関する。
【背景技術】
【０００２】
葬祭用品には、祭壇に置く燭台や花台、あるいは各種の装飾品や容器がある。また、位牌やお骨を収納する容器がある。また、持ち運びができる遺骨等の容器も知られている。（例えば、特許文献１、２参照）。
【先行技術文献】
【特許文献】
【０００３】
【特許文献１】登録実用新案第３０４６４９８号公報
【特許文献２】登録実用新案第３１２２４８５号公報
【考案の概要】
【考案が解決しようとする課題】
【０００４】
葬祭用品には、各種の仏具に類似した装飾が施される。しかしながら、仏具の装飾には独特のものがあり、仏壇以外の場所に飾る場合には違和感も生じる。また、携帯して持ち運ぶような道具の場合には、明らかに仏具と認識できるような装飾を施したものは好まれない。しかしながら、一般のアクセサリーのような華美な装飾も適さない。
本考案は、以上の点に着目してなされたもので、着色した本体に特殊なカバーを施すことにより、光の反射を利用して、華美に至らず落ち着いた高級感のあるミルキー色の葬祭用品を提供することを目的とする。
【課題を解決するための手段】
【０００５】
以下の構成はそれぞれ上記の課題を解決するための手段である。
【０００６】
＜構成１＞
外表面が任意の色に着色された本体と、
前記本体の着色された外表面を覆うように被されたプラスチックカバーとからなり、
前記プラスチックカバーは、透明または半透明のプラスチックにより形成され、かつ外周面が磨りガラス状に白濁した状態とされていることを特徴とする葬祭用品。
【０００７】
＜構成２＞
構成１に記載の葬祭用品において、
前記着色された本体の外周面に、弾性透明樹脂をコーティングしたことを特徴とする葬祭用品。
【０００８】
＜構成３＞
構成１又は２に記載の葬祭用品において、
前記プラスチックカバーの内面は前記本体の着色された外表面に密着していることを特徴とする葬祭用品。
【０００９】
＜構成４＞
構成１乃至３のいずれかに記載の葬祭用品において、
前記本体は、収納空間とこの収納空間を外部に開口する開口部とを有するカプセル本体であって、前記カプセル本体の前記開口部を開閉するように着脱自在に取り付けられたキャップを備えたことを特徴とする葬祭用品。
【００１０】
＜構成５＞
構成４に記載の葬祭用品において、
前記キャップに、吊り下げ具を取り付けるための取付孔を設けたことを特徴とする葬祭用品。
【００１１】
＜構成６＞
構成４または５に記載の葬祭用品において、
前記カプセル本体は、金属製の円筒体であって、上端開口面に前記キャップが被せられて閉塞され、かつ下端開口面に底板が被せられて閉塞された構成とされ、
前記円筒体の上端部の内周面または外周面と、前記キャップの外周面または内周面に、互いに螺合されるねじ山またはねじ溝が形成され、
前記円筒体と前記プラスチックカバーと前記底板とは一体に固定されていることを特徴とする葬祭用品。
【００１２】
＜構成７＞
構成４乃至６のいずれかに記載の葬祭用品において、
前記プラスチックカバーは、外周面が紡錘形とされ、内周面が前記カプセル本体の外表面の着色面に密着する円筒形とされていることを特徴とする葬祭用品。
【考案の効果】
【００１３】
〈構成１の効果〉
プラスチックカバーの内部が透明または半透明で、外周面が白濁した状態とされていることにより、本体の外表面に施した色がミルキーカラーのようにすりガラス越しの白濁した色彩に見えて、落ち着いた高級感が得られる。
〈構成２の効果〉
プラスチックカバーの摩りスリガラス状の外表面の汚れを防止できる。
〈構成３の効果〉
本体の外表面に施した色がプラスチックカバーの外表面に浮き出て、色彩が強調される。
〈構成４の効果〉
携帯性のある容器の場合に、プラスチックカバーによる装飾効果が高い。
〈構成５の効果〉
取付孔に吊り下げ具を取り付けることにより携帯性が向上する。
〈構成６の効果〉
全体構造が簡単で製作容易である。
〈構成７の効果〉
プラスチックカバーの外周面が紡錘形とされていることにより全体的に丸みをおびて心癒される構成であり、プラスチックカバーの内周面がカプセル本体の外表面の着色面に密着する円筒形とされていることによりカプセル本体の外表面を外から見た色合いが均一である。
【図面の簡単な説明】
【００１４】
【図１】実施例１の葬祭用品を示す斜視図である。
【図２】同葬祭用品の要部を解体した状態を示す図で、（ａ）はキャップを示す断面図、（ｂ）はカプセル本体を示す断面図、（ｃ）は図３は底板を示す断面図である。
【図３】同葬祭用品を構成するプラスチックカバーを示す断面図である。
【考案を実施するための形態】
【００１５】
以下、本考案の実施の形態を詳細に説明する。
【実施例１】
【００１６】
図１は実施例１の葬祭用品１０を示す斜視図である。図２は葬祭用品１０の要部を解体した状態を示す断面図で、（ａ）はキャップ１８、（ｂ）はカプセル本体１６、（ｃ）は図３は底板３２をそれぞれ示している。図４は葬祭用品１０のプラスチックカバーを示す断面図である。
【００１７】
この実施例の葬祭用品１０は、故人、愛玩動物等の遺骨あるいは遺灰の一部を収納して供養する容器として使用される。葬祭用品１０は、カプセル本体１６（図２）と、カプセル本体１６に取り付けられたキャップ１８と、カプセル本体１６の外周に被嵌されたプラスチックカバー２０とを備えている。キャップ１８には必要に応じて吊り下げ具２２が取り付けられる。
【００１８】
カプセル本体１６は、図２に示すように、金属製の円筒体であって、収納空間１２とこの収納空間１２を外部に開口する開口部１４とを有している。カプセル本体１６は、円筒体の上端開口面にキャップ１８が被せられて閉塞され、かつ円筒体の下端開口面に底板３２が被せられて閉塞された構成とされている。カプセル本体１６と底板３２とプラスチックカバー２０とは共に固定されている。なお、円筒体は予め底板３２が一体に設けられた有底構造とされていてもよい。
【００１９】
キャップ１８の上部に、吊り下げ具２２を取り付けるための取付孔２４が設けられている。取付孔２４に吊り下げ具２２（図１）を取り付けることにより携帯性が向上する。キャップ１８の下部に、凸部１８ａが設けられ、この凸部１８ａの外周面にねじ山２８が設けられている。
【００２０】
キャップ１８は、カプセル本体１６の開口部１４を開閉するように着脱自在に取り付けられている。キャップ１８をカプセル本体１６に着脱自在に取り付けるために、カプセル本体１６の上端部の内周面にねじ溝３０が設けられ、これに対応してキャップ１８の凸部１８ａの外周面にねじ山２８が設けられている。さらに、カプセル本体１６の下端部の内周面にねじ溝３１が設けられ、これに対応して底板３２の凸部３２ａの外周面にねじ山３３が設けられている。なお、カプセル本体１６の上端部や下端部の外周面に、ねじ山を有する凸部を設け、キャップ１８や底板３２の側にねじ溝を設ける構造でも構わない。
【００２１】
カプセル本体１６の外表面１７は任意の色で着色されている。様々なユーザの好みに合うように、葬祭用品１０を製作する場合は、各カプセル本体１６の外表面１７に、各種の色を着色するようにするとよい。細かい模様は適さないが、大きく２色に色分けするようにしてもよい。
【００２２】
カプセル本体１６の材質としては、収納すべき遺骨等を十分保護できるよう、例えば真鍮、アルミニウム、ステンレス鋼等が好ましい。アルミニウムとした場合、葬祭用品１０の総重量の軽量化が図れる。なお、容器ではなくて、置物のような葬祭用品１０の場合には、本体１６の部分を塊状あるいは柱状のものにするとよい。
【００２３】
カプセル本体１６の着色した外周面２０ａに、透明樹脂をコーティングしてなる弾性透明補強層２６が設けられている。弾性透明補強層２６の材質としてはウレタン樹脂が好ましい。カプセル本体１６にプラスチックカバー２０を被せて、両者の摩擦力を増大させ外れにくくするためである。透明なため、着色に影響を与えない。
【００２４】
プラスチックカバー２０は、透明または半透明のプラスチックにより形成され、かつ外周面２０ａが白濁した状態とされている。プラスチックカバー２０の外周面を切削加工することにより同外周面２０ａを磨りガラス状の白濁した状態とすることができる。プラスチックカバー２０の透明度が高いと、着色した本体１６の色が外表面に浮き出て、プラスチックカバー２０の外周面で散乱するから、色合いのよいミルキーカラーを呈する効果がある。
【００２５】
プラスチックカバー２０は、図３に示すように外周面２０ａが紡錘形とされ、内周面２０ｂがカプセル本体１６の外表面１７の着色面に密着する円筒形とされている。プラスチックカバー２０がカプセル本体１６の外周面１７の着色面に密着することにより、カプセル本体１６の外周面２０ａを外から見た色合いが均一となる効果が得られる。プラスチックカバー２０の材質としては、透明性、耐久性の良好なポリカーボネード樹脂が好ましい。
【００２６】
上記したように、本考案によれば、プラスチックカバー２０の内部が透明または半透明で、外周面が磨りガラス状に白濁した状態とされていることにより、カプセル本体１６の外周面に施した色がミルキーカラーのように白濁した色彩に見える。従って、華美に至らず落ち着いた高級感のある葬祭用品を実現できる。また、本体１６の部分の着色を選択するだけで多様なニーズに対応でき、全体構造も簡単にできるから、比較的制作コストを低く押さえることができる。
【符号の説明】
【００２７】
１０  葬祭用品
１２  収納空間
１４  開口部
１６  カプセル本体
１７  外表面
１８  キャップ
１８ａ  凸部
２０  プラスチックカバー
２０ａ  外周面
２０ｂ  内周面
２２  吊り下げ具
２４  取付孔
２６  弾性透明補強層
２８  ねじ山
３０  ねじ溝
３１  ねじ溝
３２  底板
３２ａ  凸部
３３  ねじ山
【図１】
0003181100.tif 000003
【図２】
0003181100.tif 000004
【図３】
0003181100.tif 000005